(57)【特許請求の範囲】
【請求項１】
上向き開口の嵌挿溝条を有する固定外枠と，一側端の側端起立壁と幅方向中間の中間起立壁によって幅方向に２分割するようにこれらに間のガイド溝条及びその中間起立壁側にこれと隣接平行の砂塵受条を有して上記固定外枠の嵌挿溝条に長手方向一連にしてそれぞれ嵌脱自在に嵌挿配設した長手方向複数区分の嵌脱内枠と，該嵌脱内枠の上記中間起立壁上端と幅方向一側偏位の中間位置裏面間でヒンジ連結し，短幅側自由端を砂塵受条上の嵌挿溝条内に受入回動し，自重転倒して上記嵌挿溝条を閉鎖し，建具閉成に連動して強制起立することにより長幅側自由端を建具下端に重合する嵌挿溝条閉鎖と建具間気密化兼用にして起倒回動自在の開閉条と，上記砂塵受条側の固定外枠開口端と開閉条短幅側自由端の突合せ又は重合部に開設した砂塵落下許容のスリットとを備え，上記固定外枠における嵌挿溝条をその対向面を湾曲面とすることによって内部を上方の開口より拡幅した断面横長にして内部拡幅の溝条とするとともに上記嵌脱内枠の砂塵受条を上向きに湾曲した湾曲溝状とし且つ上記嵌脱内枠の嵌挿配設をその上記側端起立壁側で固定外枠に引掛係止しその側端起立壁側への傾斜回動の取り外しを自在として，上記スリットを介して落下する砂塵等塵埃を受入れた嵌脱内枠の取り外しと再嵌挿による砂塵受条の砂塵等塵埃除去を可能としてなることを特徴とする横引建具用下枠装置。
【請求項２】
上記長手方向複数区分の嵌脱内枠における区分位置を，建具開成時の建具残存部分と開放開口部分間としてなることを特徴とする請求項１の横引建具用下枠装置。
【請求項３】
上記開閉条の建具閉成に連動した強制起立を，開閉条下面に摺接して該開閉条をせり上げ回動する建具戸先に下方突設しガイド溝条内を進行するせり上げ摺接面を有するせり上げ部材により行ってなることを特徴とする請求項１又は２に記載の横引建具用下枠装置。
【発明の詳細な説明】
【０００１】
【発明の属する技術分野】
本発明は，横引建具の開閉を行うとともに開成時にガイド溝条を閉鎖し，閉成時に建具との間で気密性を確保し得るようにした横引建具用下枠装置に関する。
【０００２】
【従来の技術】
この種横引建具用下枠装置として，例えば横引シャッター用に，本発明による特開平４−２０３１９１号が知られている。
【０００３】
これによれば，上向きの嵌挿溝条を有する固定外枠と，シャッター本体開閉案内用ガイド溝条を有して上記固定外枠の嵌挿溝条に長手方向一連にしてそれぞれ上下反転嵌脱自在に嵌挿配設した長手方向複数区分の嵌脱内枠とを備え，該嵌脱内枠を上下反転することにより，ガイド溝条によるシャッター本体の開閉案内とガイド溝条の閉鎖を行うようにしたものとされている。
【０００４】
【発明が解決しようとする課題】
この場合固定外枠を床面に面一状に埋込み設置することによって，建具開成時に床面上に突出する突出部分がなく，建具開閉案内を可能とする一方で，そのためのガイド溝条等の溝条を閉鎖することが可能となり，従ってガイド溝条に塵埃や異物が入るのを防止するとともに，ガイド溝条に靴の踵が嵌り込んで歩行者が転倒したりする危険を解消し得る上，塵埃が入った場合には，複数区分の嵌脱内枠を取外してその除去や洗浄ができるというメリットがあるが，一方で嵌脱内枠は，これを上下反転して使用することが前提とされるため，その操作が煩雑であり，またこの煩雑さを解消するように，例えば建具開閉に連動して使用をしようとしても，構造上これをなし難いという問題点がある。
【０００５】
本発明はかかる事情に鑑みてなされたもので，その解決課題とする処は，上記建具開閉案内を可能とする一方，ガイド溝条を閉鎖することができる上，塵埃や異物の除去や清掃が容易であるメリットを維持し，上記建具開閉案内とガイド溝条の閉鎖を建具開閉に連動して行うとともに屋外との建物開口に用いても耐砂塵性及び気密性を確保した横引建具用下枠装置を提供するにある。
【０００６】
【課題を解決するための手段】
上記課題に添い本発明は，嵌挿溝条を有する固定外枠と，ガイド溝条と砂塵受条を有して複数区分し，上記固定外枠に傾斜回動して取り外すようにした嵌脱内枠を用い，これを取外してその塵埃異物の除去や洗浄をなし得るようにする一方で，該嵌脱内枠に建具開閉に連動する開閉条をヒンジ連結して起倒開閉自在に設け，この開閉条の自重転倒で溝条を閉鎖し，強制起立で建具開閉案内と建具間での気密性を建具全長に亘って行い得るようにし，更に屋外との建物開口に用いることによる，特に砂塵の多い環境で耐砂塵性を有するように，砂塵に抗することなく，これを受入れ許容するとともに嵌脱内枠でこの砂塵を確実に受止め除去し得る構成とし，上記起倒回動自在の開閉条を設けたことによる，塵によるその起倒回動の不良や起倒回動を建具開閉に連動したことによる開閉条の変形等の予想されるトラブルを解消するようにしたものであって，即ち本発明は，請求項１に記載の発明を，上向き開口の嵌挿溝条を有する固定外枠と，一側端の側端起立壁と幅方向中間の中間起立壁によって幅方向に２分割するようにこれらに間のガイド溝条及びその中間起立壁側にこれと隣接平行の砂塵受条を有して上記固定外枠の嵌挿溝条に長手方向一連にしてそれぞれ嵌脱自在に嵌挿配設した長手方向複数区分の嵌脱内枠と，該嵌脱内枠の上記中間起立壁上端と幅方向一側偏位の中間位置裏面間でヒンジ連結し，短幅側自由端を砂塵受条上の嵌挿溝条内に受入回動し，自重転倒して上記嵌挿溝条を閉鎖し，建具閉成に連動して強制起立することにより長幅側自由端を建具下端に重合する嵌挿溝条閉鎖と建具間気密化兼用にして起倒回動自在の開閉条と，上記砂塵受条側の固定外枠開口端と開閉条短幅側自由端の突合せ又は重合部に開設した砂塵落下許容のスリットとを備え，上記固定外枠における嵌挿溝条をその対向面を湾曲面とすることによって内部を上方の開口より拡幅した断面横長にして内部拡幅の溝条とするとともに上記嵌脱内枠の砂塵受条を上向きに湾曲した湾曲溝状とし且つ上記嵌脱内枠の嵌挿配設をその上記側端起立壁側で固定外枠に引掛係止しその側端起立壁側への傾斜回動の取り外しを自在として，上記スリットを介して落下する砂塵等塵埃を受入れた嵌脱内枠の取り外しと再嵌挿による砂塵受条の砂塵等塵埃除去を可能としてなることを特徴とする横引建具用下枠装置とし，請求項２及び請求項３に記載の発明は，それぞれ上記に加えて，嵌脱内枠の上記取外しを容易にし，また建具開閉との連動を確実且つ容易にするそれぞれ好ましい態様のものとするように，請求項２に記載の発明を，上記長手方向複数区分の嵌脱内枠における区分位置を，建具開成時の建具残存部分と開放開口部分間としてなることを特徴とする請求項１の横引建具用下枠装置とし，請求項３に記載の発明を，上記開閉条の建具閉成に連動した強制起立を，開閉条下面に摺接して該開閉条をせり上げ回動する建具戸先に下方突設しガイド溝条内を進行するせり上げ摺接面を有するせり上げ部材により行ってなることを特徴とする請求項１又は２に記載の横引建具用下枠装置として，これらをそれぞれ発明の要旨とすることにより上記課題解決の手段としたものである。
【０００７】
【発明の実施の形態】
以下図面に従って本発明を更に具体的に説明すれば，Ａは下枠装置であり，該下枠装置Ａは，固定外枠１０，嵌脱内枠２０及び開閉条３０を有する下枠を備えたものとしてある。
【０００８】
固定外枠１０は，上向き開口の嵌挿溝条１３を有するものとしてあり，本例にあってこの固定外枠１０は，底基板１１上に幅方向離隔一対の中空側壁１２を起立配設し，これら中空側壁１２間に上記嵌挿溝条１３を上向きに開口して形成配設したアルミ押出材製一体長尺のものとしてあり，このとき嵌挿溝条１３は上記各側壁１２の内面，即ち対向面を湾曲面，本例にあって曲率半径の異なる湾曲面とすることによって，内部を上方の開口より拡幅した断面横長にして内部拡幅の溝条としてあり，また上方の開口端の一側には，先端を下向きに傾斜して開口側に水平に短突出して形成した短突条１４を，他側には開口側に段差をなして形成した段差受座１５をそれぞれ配設する一方，嵌挿溝条１３の内側下方両側には，嵌脱内枠２０用の受座１６を，それぞれ上記湾曲面から水平下面に至るように配設したものとし，また該嵌挿溝条１３の内側下方一側の上記曲率半径の大小のうち大側とした受座１６の面内又はその近傍に，引掛係止条一方をなす水平細溝状の溝係止部１７を形成して配設したものとしてある。
【０００９】
嵌脱内枠２０は，一側端の側端起立壁２２と幅方向中間の中間起立壁２４によって幅方向に２分割するようにこれらに間のガイド溝条２６及びその中間起立壁２２側にこれと隣接平行の砂塵受条２７を有して上記固定外枠１０の嵌挿溝条１３に長手方向一連にして嵌脱自在に嵌挿配設した長手方向複数区分のものとしてあり，またこのとき該長手方向複数区分の嵌脱内枠２０における区分位置は，これを建具開成時の建具残存部分１と開放開口部分２間としてなるものとしてある。
【００１０】
本例にあって嵌脱内枠２０は，底基板２１上に，一側端にして上端を外側に向けて傾斜した傾斜条２３を有する側端起立壁２２と，幅方向中間にして他側端側に偏位した位置の中間起立壁２４とを離隔して対向一対起立配設し，これら側端起立壁２２と中間起立壁２４間に上記ガイド溝条２６を，中間起立壁２４の幅方向外側の残余の底基板２１上に上記砂塵受条２７を形成配置して，長手方向に上記建具残存部分，即ち建具開成時に該建具が残存する戸袋部分１と開放開口部分２間で２区分した，それぞれアルミ押出材製一体長尺のものとしてあり，このときガイド溝条２６はこれを上向き開口断面矩形のものとし，砂塵受条２７は，これを上向きに湾曲した湾曲溝状のものとしてあり，即ち上記残余の底基板２１を上向きに湾曲して下面を上記嵌挿溝条１３の受座１６と同一の曲率半径の載置部とすることによって上面を併せて同様に湾曲した中間起立壁２４下端から外側にし字状をなすようにした湾曲浅溝状のものとし，これによって後述のようにスリット３６を介して落下する砂塵等塵埃を受入れて嵌脱内枠２０の取り外しと再嵌挿によって砂塵受条２７の砂塵等塵埃除去を可能とするものとしてある。また上記中間起立壁２４上端には，該砂塵受条２７上に位置して斜め上方を９０°乃至１００°程度開口したアルミヒンジ一方をなす一体Ｃ字状の軸受２５を，上記側端起立壁２２の下端には，引掛係止条他方をなして上記固定外枠１０の溝係止部１７に引掛係止する水平リブ状の突出係止部２８をそれぞれ形成して配設したものとしてある。
【００１１】
開閉条３０は，嵌脱内枠２０の上記中間起立壁２４上端と幅方向一側偏位の中間位置裏面間でヒンジ連結し，短幅側自由端を砂塵受条２７上の嵌挿溝条１３内に受入回動し，自重転倒して上記嵌挿溝条１３を閉鎖し，建具閉成に連動して強制起立することにより長幅側自由端を建具下端に重合する嵌挿溝条閉鎖と建具間気密化兼用にして起倒回動自在のものとしてあり，本例にあって開閉条３０は，固定外枠１０の嵌挿溝条１３における開口幅に合わせてこれを閉鎖する，開口幅と略同幅にして，上記嵌脱内枠２０における中間起立壁２４位置に合わせて，幅方向一側に偏位した約１／４の中間位置裏面に下向き傾斜して上記軸受２５の開口端に対接自在の突条３１を介してアルミヒンジ他方をなす一体Ｃ字状の支軸３２を突出形成して配設した各嵌脱内枠２０と同長のアルミ押出材製一体長尺のものとしてあり，このとき上記支軸２５により長短幅に区分した長幅側自由端下面には矢尻状を呈して自重転倒をスムーズにするためのウエイトを兼ねるとともに後述の強制起立用のせり上げ部材４３の受部を兼ねるように傾斜膨出し又は下面突出してなる矢尻部３３を，その裏面中間位置にはＣ字溝に基部を嵌入して裏面側に突出したモヘア材による気密材３４をそれぞれ備える一方，短幅側自由端には，表面から段差をなして水平に突設形成した段差突条３５を備えたものとしてある。
【００１２】
この開閉条３０は，上記軸受２５に支軸３２を嵌合するとともに傾斜条２３に長幅側自由端の矢尻部３３を受止め対接することにより，これら軸受２５と軸支３２とによるアルミヒンジを介して上記２区分した各嵌脱内枠２０の長手方向全長に亘って，上記中間起立壁２４上端と幅方向一側偏位の中間位置裏面でヒンジ連結し，必要に応じて長手方向端部において抜止め固定の措置を施すことによって，嵌脱内枠２０を起倒回動自在にして水平の開閉条３０を一体化した各内枠ユニットとする如くにし，本例にあっては受座１６に底基板２１乃至受座１６と同一曲率半径の底基板２１裏面の載置部を載置するとともに段差受座１５に傾斜条２３を，これに矢尻部３３を介して受止め対接した開閉条３０の厚さを吸収してこれが上方に突出しないようにし，併せて引掛係止条の溝係止部１７と突出係止部２８とを引掛係止することによって密嵌し且つ転びを防止するようにして，固定外枠１０の嵌挿溝条１３に，上記長手方向一連にして嵌脱自在に嵌挿配置することによって，開閉条３０を上記嵌挿溝条閉鎖用とするようにしてあり，このとき固定外枠１０と開閉条３０とは，上記砂塵受条２７側の固定外枠１０開口端と開閉条３０短幅側自由端の突合せ又は重合部に開設した砂塵落下許容のスリット３６を備えるものとしてあり，本例にあってこのスリット３６は，上記固定外枠１０に水平に短突出して形成した短突条１４と開閉条３０の表面から段差をなして水平に突設形成した段差突条３５とを，嵌挿溝条１３に嵌脱内枠２０を嵌挿した状態で重合させるとともにこの間に，例えば数ミリにして砂塵を通過する幅とするように上記短突条１４と段差突条３５の長さと位置関係を規制することによって開設したものとしてある。
【００１３】
更にこのとき開閉条３０と建具とは，開閉条３０を起立することにより長幅側自由端を建具下端に重合するものとしてあり，本例にあっては，上記嵌挿溝条１３の幅とこれを閉鎖する開閉条３０の幅を４乃至５ｃｍ程度の比較的幅広とし，開閉条３０の起立高さを３ｃｍ程度とすることにより，例えば建具のシャッター本体４０の蝶番枠に下方突出したスライダー４１をガイド溝条２６によって走行案内する一方，シャッター本体４０下端を固定外枠１０上方に，例えば１．５ｃｍ程度離隔する上方の浮上位置として，下枠とシャッター本体４０下端間に通気空隙を配置形成したものにあって，開閉条３０の上記矢尻部３３をシャッター本体４０下端に余裕をもって重合するとともに気密材３４がシャッター本体４０に摺接するように，開閉条３０の幅と上方の浮上位置の建具との関係を規制することによって上記重合を行うものとしてある。
【００１４】
更に開閉条３０と建具とは，開閉条３０の起立を，建具閉成に連動して強制起立することによって行うものとし，このとき該強制起立は，これを開閉条３０下面に摺接して該開閉条３０をせり上げ回動する建具戸先に下方突設しガイド溝条２６内を進行するせり上げ摺接面４４を有するせり上げ部材４３により行ってなるものとしてあり，建具をシャッター本体とする本例にあっては，シャッター本体４０の戸先における上吊り走行框４２の下端に，スライダー４１と同様にガイド溝条２６内を走行し，開閉条３０の矢尻部３３下端に摺接するように戸先側に向けて傾斜するとともに開閉条３０のヒンジ連結側に向けて併せて傾斜する２方向傾斜のせり上げ摺接面４４を有する，例えば硬質ナイロンによる合成樹脂製ブロックを下方突出状に固定し，これを上記せり上げ部材４３とすることにより，開閉条３０を上記２方向傾斜のせり上げ摺接面４４でせり上げ回動してその長手方向に一気に強制起立するようにし，該強制起立後は上記気密材３４のシャッター本体４０への摺接によってこれを保持するようにしてある。
【００１５】
なお図中１８は固定外枠１０の底面に設けて，長期の使用により更に固定外枠１０内に入って残留することある砂塵を受止めして，嵌脱内枠２０の嵌挿配設を妨げることのないようにした砂塵留りである。
【００１６】
以上のように構成した本例の下枠装置Ａにあっては，建具のシャッター本体４０を，ガイド溝条２６によって開成することにより，その開放開口部分における開閉条３０が自重転倒して嵌挿溝条１３を閉鎖し，ガイド溝条２６等の溝条のない床面に面一のフラットな開口が得られ，人の歩行や台車或いは車輛の通行を可能とする一方，シャッター本体４０を閉成することにより，せり上げ部材４３が開閉条３０下面，特にその矢尻部３３下端に摺接して，これをせり上げ回動することにより，シャッター本体４０の閉成に連動して開閉条３０を確実に強制起立し，ガイド溝条２６を開放して，シャッター本体４０のガイド溝条２６による開閉案内を可能とし，強制起立した開閉条３０がシャッター本体４０下端に重合して通気空隙を内外で遮断して気密性を確保するとともに気密材３４がシャッター本体４０下端に対接することにより気密性を更に高度に確保し，このときシャッター本体４０の残存部分，即ち戸袋部分１にあっては開閉条３０が同様に起立した状態とされるから，この開閉条３０とともにシャッター本体４０全長に亘って一連に連続した気密性を確保するに至り，屋外との建物開口に用いるにも好適なものとし得る。
【００１７】
また上記固定外枠１０と開閉条３０が，その固定外枠１０開口端と開閉条３０短幅側自由端の突合せ又は重合部に開設したスリット３６が人の歩行等に伴い或いは風によって運ばれた微小の塵埃，特に砂塵を落下させるが，上記湾曲溝状の砂塵受条２７がこれを受入れて，嵌脱内枠２０の取り外しと再嵌挿によって砂塵受条２７の砂塵等塵埃除去を可能とするものとしてある。即ち塵埃，特に砂塵はスリット３６を介して砂塵受条２７に受入れ落下されるに至り，従って砂塵が固定外枠１０短突条１４と開閉条３０の段差突条３５とによる重合部に入り込み，この間に残留し，開閉条３０の起倒回動を阻害して，起倒回動の不良を招き，シャッター本体４０の開成時に開閉条３０が自重転倒し得なくなったり，閉成時に開閉条３０が閉鎖状態のままとなって，シャッター本体４０の閉成力により開閉条３０が変形したりすることが防止でき，同じく屋外との建物開口に用いるにも好適なものとし得る上，開放開口部分の嵌脱内枠２０を内部拡幅の嵌挿溝条１３内で，引掛係止条の係止を外すように傾斜回動して固定外枠１０から上方に取外し，その後戸袋部分の嵌脱内枠２０を開放開口部分に引寄せスライドして同様に上方に取外し，また上記と逆に戸袋部分の嵌脱内枠２０を傾斜回動するように嵌め込み，戸袋部分側に押圧スライドし，次いで開放開口部分の嵌脱内枠２０を同様に嵌め込むようにして再嵌挿することにより，複数の嵌脱内枠２０は，これを簡易に嵌脱することができるから，砂塵やガイド溝条２６に入った塵埃や異物を取除き除去し，更には嵌脱内枠２０を洗浄することもでき，これらを常に清潔に維持することができる。
【００１８】
なお本例にあって固定外枠１０の溝係止部１７と嵌脱内枠２０の突出係止部２８による引掛係止条を設けたから，これを外すように上記嵌挿溝条１３を嵌脱内枠２０の傾斜回動をなし得るように内部拡幅のものとしたが，上記引掛係止条によって開閉条３０のせり上げに際して嵌脱内枠２０を固定しそのつれ上りを防止し，開閉条３０の強制起立を確実に行うことができる。
【００１９】
図示した例は以上のとおりとしたが，嵌脱内枠の砂塵受条を浅溝の受皿状とし又は深溝状のものとすること，嵌脱内枠を長手方向に３区分する等の多数区分のものとすること，その際，区分位置を建具開閉時の建具残存部分と開放開口部分間に跨がるものとすること，一方，建具残存部分と開放開口部分間で区分するとき，開放開口部分の長さに応じてこれを更に長手方向に区分すること，開閉条の強制起立を建具戸先に戸先側に突出して開閉条をせり上げ回動する戸先に先行する突起又はブロックによるものとすること，この場合を含め開閉条裏面に摺接専用の突条や膨出条を設けること，固定外枠開口端と開閉条短幅側自由端とを，上記重合を行うことなく突合せるようにした突合せ部とし，この間に上下に直接連通する砂塵落下許容のスリットを開設するようにすること，建具を片引戸等の引戸とし，またガイド溝条を２条として引違い戸とすること等を含めて，本発明の実施に当っては，固定外枠，嵌脱内枠，開閉条の各具体的形状，材質，構造，これらの関係，これらに対する付加，これらと建具との関係等は，上記発明の要旨に反しない限り様々に変更した形態のものとすることができる。
【００２０】
【発明の効果】
本発明は以上のとおりに構成したので，請求項１に記載の発明は，建具開閉案内を可能とする一方，ガイド溝条を閉鎖することができる上，塵埃や異物の除去や清掃が容易で，上記建具開閉案内とガイド溝条の閉鎖を建具開閉に連動して行うとともに屋外との建物開口に用いても耐砂塵性及び気密性を確保する横引建具用下枠装置を提供することができ，請求項２及び３に記載の発明は，それぞれこれに加えて嵌脱内枠の取外しを容易にし，また建具開閉との連動を確実且つ容易にした好ましい態様のものとすることができる。
【図面の簡単な説明】
【図１】下枠の平面図
【図２】開閉条を閉鎖した縦断面図
【図３】開閉条を強制起立した縦断面図
【図４】嵌脱内枠の取外し方法を示す縦断面図
【図５】固定外枠の縦断面図
【図６】嵌脱内枠の縦断面図
【図７】開閉条の縦断面図
【図８】開閉条とせり上げ部材との関係を示す戸袋部の開閉条図示を省略した斜視図
【符号の説明】
Ａ  下枠装置
１０  固定外枠
１３  嵌挿溝条
２０  嵌脱内枠
２２  側端起立壁
２４  中間起立壁
２５  軸  受
２６  ガイド溝条
２７  砂塵受条
３０  開閉条
３２  支  軸
３６  スリット
４３  せり上げ部材
【図１】
0003550244.tif 000002
【図２】
0003550244.tif 000003
【図３】
0003550244.tif 000004
【図４】
0003550244.tif 000005
【図５】
0003550244.tif 000006
【図６】
0003550244.tif 000007
【図７】
0003550244.tif 000008
【図８】
0003550244.tif 000009